(57)【要約】【課題】デジタルカメラで撮影、記録した画像から矩形の領域を加工してプリントする。【解決手段】デジタルカメラの画像記録媒体１３を装着して、その画像記録媒体１３に撮影記録されたデータを読み出し、プリントするプリンタ装置において、記録された画像を表示する表示手段１１と、矩形領域を指定する操作手段１２と、指定された矩形領域に対して画像処理を行なう画像処理手段３４とを備えた。【選択図】      図３
2004268353.tif 000002
【特許請求の範囲】
【請求項１】
デジタルカメラの画像記録媒体を装着して、その画像記録媒体に撮影記録されたデータを読み出し、プリントするプリンタ装置において、記録された画像を表示する表示手段と、矩形領域を指定する操作手段と、指定された矩形領域に対して画像処理を行なう画像処理手段とを備えたことを特徴とするプリンタ装置。
【請求項２】
請求項１記載のプリンタ装置において、操作手段は、左上と右下の２点を決定し、それらを対角とする矩形として領域指定する機能を有することを特徴とするプリンタ装置。
【請求項３】
請求項１記載のプリンタ装置において、画像処理手段は、指定された領域の内側の画像を指定の用紙サイズに変倍してプリントする機能を有することを特徴とするプリンタ装置。
【請求項４】
請求項３記載のプリンタ装置において、画像処理手段は、指定された領域の内側の画像を指定の用紙サイズに変倍する際に、画像の縦・横比を保ちながら用紙からはみ出さない最大の変倍率を自動的に選択してプリントする機能を有することを特徴とするプリンタ装置。
【請求項５】
請求項１記載のプリンタ装置において、画像処理手段は、指定された領域の外側の画像を指定の色に変換してプリントする機能を有することを特徴とするプリンタ装置。
【請求項６】
請求項１記載のプリンタ装置において、画像処理手段は、指定された領域の内側の画像を指定の色に変換してプリントする機能を有することを特徴とするプリンタ装置。
【発明の詳細な説明】
【０００１】
【発明の属する技術分野】
本発明は、デジタルカメラの画像記録媒体を装着して、その画像記録媒体に撮影記録されたデータを読み出し、プリントするプリンタ装置に関するものである。
【０００２】
【従来の技術】
デジタルカメラの画像記録媒体を装着して、その画像記録媒体に撮影記録されたデータを読み出し、プリントするプリンタ装置が従来より知られている（例えば、特許文献１参照）。
【特許文献１】特開平１１−３２１０２９号公報
【０００３】
【発明が解決しようとする課題】
ところで、デジタルカメラの画像データをＰＣ（パソコン）などの専用編集機器を介さずに直接プリンタ装置で印刷することが望まれている。
そこで本発明は、上記要求に応えることができるプリンタ装置を提供することを目的とする。
具体的には請求項１では、デジタルカメラで撮影、記録した画像から矩形の領域を加工してプリントすることを目的とする。
請求項２では、少ないキーで画像の矩形領域を簡便に指定することを目的とする。
請求項３では、撮影された画像から必要な部分だけをトリミングして用紙サイズいっぱいに印刷することを目的とする。
請求項４では、画像領域の縦横比を保持して用紙サイズいっぱいの最大画像で印刷することを目的とする。
請求項５では、所望の画像領域以外を消し込んで印刷することを目的とする。
請求項６では、所望の画像領域を消し込んで印刷することを目的とする。
【０００４】
【課題を解決するための手段】
上記目的を達成するために、請求項１記載の発明は、デジタルカメラの画像記録媒体を装着して、その画像記録媒体に撮影記録されたデータを読み出し、プリントするプリンタ装置において、記録された画像を表示する表示手段と、矩形領域を指定する操作手段と、指定された矩形領域に対して画像処理を行なう画像処理手段とを備えたプリンタ装置を最も主要な特徴とする。
請求項２記載の発明は、請求項１記載のプリンタ装置において、操作手段は、左上と右下の２点を決定し、それらを対角とする矩形として領域指定する機能を有するプリンタ装置を主要な特徴とする。
請求項３記載の発明は、請求項１記載のプリンタ装置において、画像処理手段は、指定された領域の内側の画像を指定の用紙サイズに変倍してプリントする機能を有するプリンタ装置を主要な特徴とする。
請求項４記載の発明は、請求項３記載のプリンタ装置において、画像処理手段は、指定された領域の内側の画像を指定の用紙サイズに変倍する際に、画像の縦・横比を保ちながら用紙からはみ出さない最大の変倍率を自動的に選択してプリントする機能を有するプリンタ装置を主要な特徴とする。
請求項５記載の発明は、請求項１記載のプリンタ装置において、画像処理手段は、指定された領域の外側の画像を指定の色に変換してプリントする機能を有するプリンタ装置を主要な特徴とする。
請求項６記載の発明は、請求項１記載のプリンタ装置において、画像処理手段は、指定された領域の内側の画像を指定の色に変換してプリントする機能を有するプリンタ装置を主要な特徴とする。
【０００５】
【発明の実施の形態】
以下、図面により本発明の実施の形態を詳細に説明する。
図１は本発明の実施の形態に係るプリンタ装置の外観斜視図である。装置本体１の手前面には、ＬＣＤ表示部１１（表示手段）、操作部１２（操作手段）が配置されており、操作部１２の下方にはスマートメディアなどのデジタルカメラの画像記録媒体１３を装着できる開口部１４が形成されている。
図２はＬＣＤ表示部と操作部の正面図である。ＬＣＤ表示部１１には、画像記録媒体１３に記録されている画像データを表示したり、操作手順を示すメニューを表示したりすることができる。ＬＣＤ表示部１１の下方には、電源が入っていることを示す電源表示ランプ１５、エラーが発生したときに点灯するエラーランプ１６、印字データを受け取ったことを示すデータインランプ１７が設けられている。
操作部１２には、データの受信・切断を切り替えるオンラインキー１８、プリンタ装置の各種設定や操作を選択するメニューキー１９、印刷途中のデータを破棄するジョブリセットキー２０、後述するページメモリに溜まったままのデータを印刷するフォームフィードキー２１、取消操作のためのエスケープキー２２、入力確定時に押下する＃エンターキー２３、メニューの選択などで使う方向キー（４方向）２４が配置されている。
本発明は、これらの表示手段であるＬＣＤ表示部と操作手段である操作部１２によって画像記録媒体１３に記録された画像データの表示と矩形領域の指定を行なうことができ、さらに画像処理手段（後述する画像処理部）によって、印刷処理の前の画像データに対して変形、置換などを行なうことができるプリンタ装置を提供するものである。
図３は本発明の実施の形態に係るプリンタ装置の機能ブロック図である。ＣＰＵ３１を中心に、ＬＣＤ表示部１１、操作部１２、メディアインターフェース部３２、ページメモリ３３を有し、画像処理手段としての画像処理部３４、メカニズム駆動部３５を有する。また実際にプリント出力するプリンタエンジン部３６を有する。
【０００６】
図４（１）〜（４）は矩形領域を確定する手順を示す図、図５矩形領域指定処理の手順の第１の実施例を示すフロー図である。画像データが画像記録媒体１３から読み出されてＬＣＤ表示部１１に表示されたあと、メニューキー１９で「矩形領域の指定」を選択する。図示は省略するが、メニューはＬＣＤ表示部１１の４辺のいずれかからポップアップで表示画像の上に現れ、項目選択後はメニューが隠れる方式が考えられる。
矩形領域の指定ではまず左上の頂点を、次に右下の頂点を決定して、その２頂点を対角とする矩形領域という形で指定する。メニューから「矩形領域の指定」項目を選択すると、図４（１）に示すように、たとえば十字形のカーソルが画面左上に表示され、方向キー２４の押下によって、その方向に順次移動していく（図５のステップＳ１）。任意の位置にカーソルが到達したら＃エンターキー２３を押下して左上頂点の位置を決定する（図５のステップＳ２）。
続いて左上頂点と重なって再度、十字形のカーソルが表示される。前と同じく方向キー２４によって図４（２）及び（３）に示したように任意の位置に移動していくので（図５のステップＳ３）、所望の位置に到達したところで＃エンターキー２３を押下して右下頂点の位置を決定する（図５のステップＳ４）。これで図４（４）に示すように２頂点を対角とした矩形領域が指定される。
【０００７】
本発明では、ＬＣＤ表示画面で指定された矩形領域を、ＣＰＵ３１、画像処理部３４の機能により、用紙サイズの大きさに合わせて拡大して印刷することができ、そのフローを第２の実施例として図６に示す。
まず、図５に示したフローに従い、矩形領域を抽出し（ステップＳ１１）、メニューキー１９で「用紙指定変倍印刷」なる項目を選択する。次いで印刷したい所望の用紙サイズが補充されているトレイをメニューキー１９で選択すると、制御プログラムは用紙トレイの情報を取得し（ステップＳ１２）、当該矩形領域の画像データサイズと用紙サイズの大きさから変倍率を計算する（ステップＳ１３）。
このとき、矩形領域の長辺と用紙サイズの長辺、矩形領域の短辺と用紙サイズの短辺で各々変倍率を計算して縦横が異なる変倍率で拡大印刷するようにしておく。これは用紙に余白が残らないようにするためである。このようにして指定された矩形領域の画像を用紙サイズに合わせて変倍し（ステップＳ１４）、印刷を実行する。
【０００８】
上記第２の実施例では矩形領域の長辺・短辺をそれぞれ用紙サイズの長辺・短辺に合わせて別々の変倍率で拡大印刷したが、第３の実施例では縦横の変倍率を同じくして画像の縦横比が変わらないようにするものであり、図７に示したフローに従い説明する。
まず図５に示したフローに従い、矩形領域を抽出し（ステップＳ２１）、メニューキー１９で「用紙指定変倍印刷」なる項目を選択する。次いで印刷したい所望の用紙サイズが補充されているトレイをメニューキー１９で選択し、さらに「縦横比を保持」なる項目を選択する。すると、制御プログラムは用紙トレイの情報を取得し（ステップＳ２２）、当該の矩形領域の画像データサイズと用紙サイズの大きさから、矩形領域の長辺と用紙サイズの長辺との変倍比率Ａと、矩形領域の短辺と用紙サイズの短辺との変倍比率Ｂを計算する（ステップＳ２３）。
その後、変倍比率ＡとＢとを比較して（ステップＳ２４）、変倍比率の小さいほうを採用し（ステップＳ２５）、拡大印刷を行う。これによって拡大印刷した画像が用紙サイズをはみ出すことはない。このようにして指定された矩形領域の画像の一辺が用紙の一辺のサイズいっぱいに拡大され、かつ縦横比を保持して変倍印刷することができる。
【０００９】
第４の実施例ではＬＣＤ表示画面で指定された矩形領域の外側を指定色に変換して印刷するものであり、図８（１）は矩形領域の外側を指定色に変換する前の状態を示す図、（２）は矩形領域の外側を指定色に変換した後の状態を示す図である。
この第４の実施例のフローを図９に基づき説明する。まず、図５に示したフローに従い、矩形領域を抽出したのち、メニューキー１９で「矩形外の色変換」なる項目を選択する（ステップＳ３１）。次いでペイントしたい色を選択し（ステップＳ３２）、ＬＣＤ表示画面の大きさ（縦横比）と指定された用紙サイズとに基づいて画像を変倍処理し（ステップＳ３３）、印刷処理を実行する。この場合、ＬＣＤ表示部１１上で矩形領域の外側の色が変更されたことを確認し、印刷を実行することができ、これは所望の領域以外を消去したい場合に利用できる。
【００１０】
第５の実施例ではＬＣＤ表示画面で指定された矩形領域の内側を指定色に変換して印刷するものであり、図１０（１）は矩形領域の内側を指定色に変換する前の状態を示す図、（２）は矩形領域の内側を指定色に変換した後の状態を示す図である。
第５の実施例のフローを図１１に基づき説明する。まず、図５に示したフローに従い、矩形領域を抽出したのち、メニューキー１９で「矩形内の色変換」なる項目を選択する（ステップＳ４１）。次いでペイントしたい色を選択し（ステップＳ４２）、ＬＣＤ表示画面の大きさ（縦横比）と指定された用紙サイズとに基づいて画像を変倍処理し（ステップＳ４３）、印刷処理を実行する。この場合においても、ＬＣＤ表示部１１上で矩形領域の内側の色が変更されたことを確認し、印刷を実行することができ、これは所望の領域を消去したい場合に利用できる。
【００１１】
【発明の効果】
以上説明したように、請求項１によれば、矩形領域という簡単な形状の指定と、比較的簡単な画像処理を行うことで、デジタルカメラの画像データをＰＣなどの専用編集機器を介さずに直接プリンタ装置で印刷できる。
請求項２によれば、プリンタ装置の少ない操作キーによる最小操作で矩形領域を指定することができる。
請求項３によれば、デジタルカメラで定形サイズ用紙の書類を撮影した場合に、元の原稿サイズと同じ大きさに拡大印刷することが容易になり、デジタルカメラを利用した文書コピーのような使い方ができる。
請求項４によれば、縦横比を保持することで原稿中にある図形などの形状を正しく再現することができる。
請求項５によれば、所望の画像以外の余計な情報を簡単な操作で削除（消去）した場合同じ効果が得られる。
請求項６によれば、画像中に削除・隠蔽したい表現がある場合に、墨塗り・消し込みと同じ効果を簡単に得ることができる。
【図面の簡単な説明】
【図１】本発明の実施の形態に係るプリンタ装置の外観斜視図である。
【図２】ＬＣＤ表示部と操作部の正面図である。
【図３】本発明の実施の形態に係るプリンタ装置の機能ブロック図である。
【図４】矩形領域を確定する手順を示す図である。
【図５】矩形領域指定処理の手順の第１の実施例を示すフロー図である。
【図６】矩形領域指定処理の手順の第２の実施例を示すフロー図である。
【図７】矩形領域指定処理の手順の第３の実施例を示すフロー図である。
【図８】ペイントを実行したときの様子の第１の例を示す図である。
【図９】矩形領域指定処理の手順の第４の実施例を示すフロー図である。
【図１０】ペイントを実行したときの様子の第２の例を示す図である。
【図１１】矩形領域指定処理の手順の第５の実施例を示すフロー図である。
【符号の説明】
１１  ＬＣＤ表示部（表示手段）
１２  操作部（操作手段）
１３  画像記録媒体
３４  画像処理部（画像処理手段）
【図１】
2004268353.tif 000003
【図２】
2004268353.tif 000004
【図３】
2004268353.tif 000005
【図４】
2004268353.tif 000006
【図５】
2004268353.tif 000007
【図６】
2004268353.tif 000008
【図７】
2004268353.tif 000009
【図８】
2004268353.tif 000010
【図９】
2004268353.tif 000011
【図１０】
2004268353.tif 000012
【図１１】
2004268353.tif 000013